(57)【要約】【課題】キャスティング時の空気抵抗を小さくして、飛距離を容易に伸ばすことが出来、またリトリーブ時においても水の抵抗を小さくして引き抵抗を減少出来る魚釣り用ルアーを提供することにある。【解決手段】ルアー本体と、このルアー本体の前端部に組みつけられるリップとが備えられている魚釣り用ルアーにおいて、前記ルアー本体と前記リップとが複数本の線材部を介して所定間隔開けて連結されると共に、これら複数本の線材部が所定間隔開けて前後に並んで配置されている。【選択図】図２
2008289423.tif 000002
【特許請求の範囲】
【請求項１】
ルアー本体と、このルアー本体の前端部に組みつけられるリップとが備えられている魚釣り用ルアーにおいて、前記ルアー本体と前記リップとが線材部を介して所定間隔開けて連結されていることを特徴とする魚釣り用ルアー。
【請求項２】
線材部が複数本備えられ、これら複数本の線材部が所定間隔開けて前後に並んでいることを特徴とする請求項１に記載の魚つり用ルアー。
【請求項３】
線材部に抜け止め片が設けられていることを特徴とする請求項１または２に記載の魚釣り用ルアー。
【発明の詳細な説明】
【技術分野】
【０００１】
本発明は、魚釣りに用いるルアーに関する。
【背景技術】
【０００２】
一般にルアー本体とこのルアー本体の前端部に組みつけられるリップが備えられたルアーは、ルアー本体の先端部にリップが一体形成されると共に、リップは先端に向かうに従って斜め下方にのびている。（特許文献１参照）
ところで以上のルアーは、目的のポイントに向けてキャスティングする際、テール部分が先を向きリップが後ろを向いた状態で飛行した後、水面に落下するのであるが、前記したように、リップがルアー本体に一体形成された従来のルアーのようにルアー本体とリップとの間に隙間がない場合には、キャスティング時、ルアー本体の後端からリップに向かって流れる空気が、ルアー本体に対して下方に傾斜するリップの下面にダイレクトに衝突することから、ルアーに作用する空気抵抗が大きくなるのは勿論のこと、空中を飛行する過程で空気がリップの下面に衝突して空気の乱流が生じ、ルアーが不用意に回転したり、非行姿勢が安定しないものとなり、その結果、ルアーの飛距離が出なくなったり、目的のポイントに正確にルアーを投入することが難しくなるなどの不具合がある。
【０００３】
また着水後のリトリーブ時においても、ルアー本体の前端から前方に延びる板状のリップに沿って流れる水がルアー本体の前端部にダイレクトに衝突するので、リトリーブ時にルアーに作用する水の抵抗が大きくなり、リトリーブの操作が重くなる不具合がある。
更にリップがルアー本体に一体形成された従来のルアーでは、ルアー本体に対するリップの取り付け角度が異なるルアーを作成しようとすると、新たに別途成形型を作成する必要があり、全体として製造コストが高くなる。
【特許文献１】特開２００４−２９８１３４号公報
【発明の開示】
【発明が解決しようとする課題】
【０００４】
本発明は以上の実情に鑑みて開発したものであって、目的とするところは、主として、キャスティング時の空気抵抗を小さくして、飛距離を容易に伸ばすことが出来、またリトリーブ時においても水の抵抗を小さくして引き抵抗を減少出来る魚釣り用ルアーを提供することにある。
【課題を解決するための手段】
【０００５】
以上の目的を達成するため、請求項１に記載の発明は、ルアー本体と、このルアー本体の前端部に組みつけられるリップとが備えられている魚釣り用ルアーにおいて、前記ルアー本体と前記リップとが線材部を介して所定間隔開けて連結されていることを特徴とするものである。
【０００６】
請求項２に記載の発明は、請求項１に記載の線材部が複数本備えられ、これら複数本の    線材部が所定間隔開けて前後に並んでいることを特徴とするものである。
【０００７】
請求項３に記載の発明は、請求項１または２に記載の線材部に抜け止め片が設けられていることを特徴とするものである。
【発明の効果】
【０００８】
請求項１に記載の発明によれば、キャスティング時、ルアー本体の後端からリップに向かって流れる空気が、ルアー本体の前端部下面とリップとの隙間を通過してルアー本体の前方にスムーズに流れので、ルアーに作用する空気抵抗も小さく、飛距離がそれだけ伸びるし、ルアーが回転するのも抑制されるし、また着水後のリトリーブ時においても、板状のリップに沿って流れる水が隙間をスムーズに通過して、ルアー本体の下面に沿って流れ、従来のようにルアー本体の前端部に衝突するのが抑制されるので、リトリーブ時、ルアーに作用する水の抵抗も小さくなって、リトリーブがスムーズにしかも軽く行なえる。
また本発明の魚釣り用ルアー１によれば、例えば線材部の長さや姿勢、形状を変えるだけで、隙間の広さやルアー本体に対するリップの取り付け角度を簡単に調整・変更することが出来るので、アクションが異なる色々なタイプのルアーを簡単且つ容易に作成することが可能となる。
請求項２に記載の発明によれば、請求項１に記載の発明の効果に加え、リップのルアー本体への組み付けをより強固とすることが出来る。
請求項３に記載の発明によれば、請求項１または２に記載の発明の効果に加え、金属線材部のリップまたはルアー本体への組み付けがより一層強固となる。
【発明を実施するための最良の形態】
【０００９】
以下、本発明にかかる魚釣り用ルアーの一実施形態を説明する。
【００１０】
図において符号１で示す魚釣り用ルアーは、基本的には、ルアー本体２と、このルアー本体の前端部に設けられるリップ３が備えられている。
【００１１】
ルアー本体２は、合成樹脂材料から小魚に似せた形に形成されたものであって、このルアー本体２の下腹部とテール部には、それぞれ固定リング４を介してフック（錨針）５が取り付けられている。
【００１２】
尚、以上のルアー本体２は、合成樹脂材料の他、例えば軽金属やバルサ材などから形成してもよい。
【００１３】
またリップ３は合成樹脂材料から略板状に形成され、その先端部は平面視円弧状に形成されている。
【００１４】
尚、このリップ３にあっても軽金属やバルサ材などから形成してもよい。
このリップ３の上面には、道糸Lを接続するための接続リング６が固定されている。
そして、図に示す実施形態では、このリップ３をルアー本体２の前端部に組み付けるのに、断面円形の細い金属線材７を用い、この金属線材７を介して、リップ３の後端部をルアー本体２の前端部に所定間隔Ｔ開けて連結している。
【００１５】
即ち、図１〜図６に示す実施形態では、1本の金属線材を略Ｖ字状に屈曲して、２本の金属線材部７ａ・７ｂを形成すると共に、これら金属線材部７ａ・７ｂの先端部を略９０度屈曲させて、金属線材部７ａ・７ｂの先端部に抜け止め片７１ａ・７１ｂを一体に設けている。
そしてこれら２本の金属線材部７ａ・７ｂの連結部をリップ３の後端部上壁内に埋設して、これら２本の線材部７ａ・７ｂがリップ３の後端部において前後に並ぶように配置すると共に、金属線材部７ａ・７ｂの先端部をルアー本体２の前端部下面に埋め込んで、これら金属線材部７ａ・７ｂの長さ方向中間部を、ルアー本体２の前端部下面とリップ３の後端部上面との間で露呈させることで、リップ３の後端部とルアー本体２の前端部との間に所定間隔Ｔの隙間Ｓを開けている。
以上の構造から成るルアー１では、キャスティング時やリトリーブ時に次の作用効果が期待できる。
即ち、前記したように、目的のポイントに向けてキャスティングする際、ルアー本体２のテール部分が先を向きリップ３が後ろを向いた状態で飛行した後、水面に落下するのであるが、リップがルアー本体に一体形成された従来のルアーのようにルアー本体とリップとの間に隙間がない場合には、キャスティング時、ルアー本体の後端からリップに向かって流れる空気が、ルアー本体に対して下方に傾斜するリップの下面にダイレクトに衝突することから、ルアーに作用する空気抵抗が大きくなったり、空気の乱流が生じて、ルアーが不用意に回転したり、非行姿勢が安定しないものとなり、その結果、ルアーの飛距離が出なくなるのに対して、本発明にかかるルアー１では、ルアー本体２の後端からリップ３に向かって流れる空気が、図５において１点鎖線で示すように、リップ3の下面に沿ってその一部が流れると同時に、ルアー本体２の前端部下面とリップ３との隙間Ｓを通過してリップ３の上面に沿ってもその一部が流れて、ルアー本体２の前方にスムーズに流れ去り、従来のようにリップ３の下面にダイレクトに衝突するのが抑制されるので、キャスティング時、ルアー１に作用する空気抵抗も小さく、飛距離がそれだけ伸びるし、図５において２点鎖線で示すように、空気がリップ３の上下両面に沿って、換言すればリップの上下を挟むような形で流れるので、ルアー１が不用意に回転するのも抑制されるし、また飛行中のルアー１のブレも抑制される。
【００１６】
また着水後のリトリーブ時においても、リップがルアー本体に一体形成された従来のルアーのようにルアー本体とリップとの間に隙間がない場合には、ルアー本体の前端から前方に延びる板状のリップに沿って流れる水がルアー本体の前端部に衝突して、水の抵抗が大きくなるのに対して、図に示す本発明にかかるルアー１では、図６において２点鎖線で示すように、アー本体２の前端から前方に延びる板状のリップ３に沿って流れる水が隙間Ｓをスムーズに通過して、ルアー本体２の下面に沿って流れて、ルアー本体２の前端部に衝突するのが抑制されるので、リトリーブ時、ルアー１に作用する水の抵抗も小さくなって、リトリーブがスムーズにしかも軽く行なえる。
一方、以上のルアー１では、ルアー本体の前端部にリップを一体成型する従来のものに比べ、線材部７ａ・７ｂの長さや姿勢、形状を変えるだけで、隙間の広さやルアー本体２に対するリップ３の取り付け角度を簡単に調整・変更することが出来るので、アクションが異なる色々なタイプの魚釣り用ルアー１を従来よりも簡単且つ容易に作成することが可能となる。
【００１７】
以上の実施形態では、金属製の線材部７ａ・７ｂを用いたが、これに限定されるものではなく、例えば合成樹脂製の線材を用いてもよい。また線材の断面も円形だけではなく、例えば楕円形のものでもよいし、あるいは菱形のものでもよい。
【００１８】
また以上の実施形態では、リップ３をルアー本体２に連結するのに、１本の金属線材を略Ｖ字状に屈曲して形成した２本の線材部７ａ・７ｂを用いたが、これに限定されるものではなく、図７に示すように、独立した２本の金属線材部７ａ・７ｂにより、リップ３をルアー本体２に連結するようにしてもよいし、あるいは独立した３本の線材部により、リップ３をルアー本体２に連結するようにしてもよい。この場合、各金属線材部の長さ方向両端部に抜け止め片を設けるのが好ましい。
【図面の簡単な説明】
【００１９】
【図１】本発明にかかるルアーの一実施形態を示す側面図。
【図２】同、要部の拡大側面図。
【図３】同、要部の拡大断面図。
【図４】同、要部の拡大平面図。
【図５】同、キャスティング時の作動説明図。
【図６】同、リトリーブ時の作動説明図。
【図７】本発明にかかるルアーの別の実施形態を示す要部の拡大断面図。
【符号の説明】
【００２０】
１        魚つり用ルアー
２        ルアー本体
３        リップ
４        固定リング
５        フック
６        接続リング
７ａ      線材部
７ｂ      線材部
７１ａ     抜け止め片
７１ｂ     抜け止め片
Ｓ        隙間
【図１】
2008289423.tif 000003
【図２】
2008289423.tif 000004
【図３】
2008289423.tif 000005
【図４】
2008289423.tif 000006
【図５】
2008289423.tif 000007
【図６】
2008289423.tif 000008
【図７】
2008289423.tif 000009